(57)【要約】      （修正有）【課題】コンクリートに割れを生じさせることなしに、アンカーの引き抜き強度を高めることができる芯棒打ち込み式アンカーを提供する。【解決手段】基端部にボルト部１１を有し、先端部に割り溝１２を設けた拡径部１３を有し、内部に先細り状の貫通孔を有するアンカー本体１と、アンカー本体１の貫通孔内に打ち込むことにより拡径部１３を拡径する先細り状の芯棒２と、ボルト部１１に羅着されるナット３を供えた芯棒打ち込み式アンカーであって、拡径部１３はその先端の一部（突起部）１３ｂを残してアンカー本体１の外径より小径の小径部１３ａが形成され、小径部１３ａには突起部１３ｂの他に２個の突起部１３ｃ、１３ｄが形成されている。【選択図】図９
2015232255.tif 000002
【特許請求の範囲】
【請求項１】
基端部にボルト部を有し、先端部に複数の割り溝を設けた拡径部を有し、内部に前記拡径部内が先細り状の貫通孔を有するアンカー本体と、前記アンカー本体の貫通孔内に打ち込むことにより前記拡径部を拡径する先細り状の芯棒と、前記ボルト部に羅着されるナットを供えた芯棒打ち込み式アンカーであって、
前記拡径部は、少なくともその先端の一部を残してアンカー本体の外径より小径の小径部が形成されることで、前記先端の一部で突起部が形成されていることを特徴とする芯棒打ち込み式アンカー。
【請求項２】
請求項１記載の芯棒打ち込み式アンカーにおいて、
前記小径部には、前記先端の一部で形成される突起部の他に少なくとも１つ以上の突起部が形成されていることを特徴とする芯棒打ち込み式アンカー。
【請求項３】
請求項１又は２に記載の芯棒打ち込み式アンカーにおいて、
前記突起部は先鋭の断面三角形状を成していることを特徴とする芯棒打ち込み式アンカー。
【請求項４】
請求項１〜３のいずれか１項に記載の芯棒打ち込み式アンカーにおいて、
前記小径部はアンカー本体より先端に向かうに連れて次第に小径になる先細りテーパー状に形成されていることを特徴とする芯棒打ち込み式アンカー。
【請求項５】
請求項１〜４のいずれか１項に記載の芯棒打ち込み式アンカーにおいて、
前記アンカー本体の少なくとも拡径部は焼き入れが施されていることを特徴とする芯棒打ち込み式アンカー。
【発明の詳細な説明】
【技術分野】
【０００１】
本発明は、アンカー本体の貫通孔に挿入された芯棒をハンマーで打ち込むことにより、アンカー本体の先端部の割り溝付き拡径部を拡径してコンクリート孔壁に固着させる芯棒打ち込み式アンカーに関する。
【背景技術】
【０００２】
従来の芯棒打ち込み式アンカーは、芯棒の打ち込みにより拡径するアンカー本体の先端部の割り溝付き拡径部の外周面に複数の円周方向溝を形成した構成（例えば、特許文献１参照。）であったため、以下に述べるような問題点があった。
【０００３】
すなわち、従来の芯棒打ち込み式アンカーの割り溝付き拡径部がアンカー本体と同一外径であるため、芯棒の打ち込みにより割り溝付き拡径部が少しだけ拡径してコンクリートに穿孔した孔の内周面に圧接するが、圧接する拡径部の表面積が広いため、孔の内周面に圧接するだけで内周面に殆ど食い込むことがない。
従って、アンカーの引き抜き強度が弱いという問題がある。
また、孔の内周面に対する割り溝付き拡径部の圧接力を強くすると、コンクリートに割れを生じさせるという問題があった。
【先行技術文献】
【特許文献】
【０００４】
【特許文献１】特開２００５−３０７６３７号公報
【発明の概要】
【発明が解決しようとする課題】
【０００５】
本発明の解決しようとする課題は、コンクリートに割れを生じさせることなしに、アンカーの引き抜き強度を高めることができる芯棒打ち込み式アンカーを提供することにある。
【課題を解決するための手段】
【０００６】
上記課題を解決するため請求項１記載の芯棒打ち込み式アンカーは、基端部にボルト部を有し、先端部に複数の割り溝を設けた拡径部を有し、内部に前記拡径部内が先細り状の貫通孔を有するアンカー本体と、前記アンカー本体の貫通孔内に打ち込むことにより前記拡径部を拡径する先細り状の芯棒と、前記ボルト部に羅着されるナットを供えた芯棒打ち込み式アンカーであって、
前記拡径部は、少なくともその先端の一部を残してアンカー本体の外径より小径の小径部が形成されることで、前記先端の一部で突起部が形成されていることを特徴とする手段とした。
【０００７】
また、請求項２記載の芯棒打ち込み式アンカーは、請求項１記載の芯棒打ち込み式アンカーにおいて、
前記小径部には、前記先端の一部で形成される突起部の他に少なくとも１つ以上の突起部が形成されていることを特徴とする手段とした。
【０００８】
また、請求項３記載の芯棒打ち込み式アンカーは、請求項１又は２に記載の芯棒打ち込み式アンカーにおいて、
前記突起部は先鋭の断面三角形状を成していることを特徴とする手段とした。
【０００９】
また、請求項４記載の芯棒打ち込み式アンカーは、請求項１〜３のいずれか１項に記載の芯棒打ち込み式アンカーにおいて、
前記小径部はアンカー本体より先端に向かうに連れて次第に小径になる先細りテーパー状に形成されていることを特徴とする手段とした。
【００１０】
また、請求項５記載の芯棒打ち込み式アンカーは、請求項１〜４のいずれか１項に記載の芯棒打ち込み式アンカーにおいて、
前記アンカー本体の少なくとも拡径部は焼き入れが施されていることを特徴とする手段とした。
【発明の効果】
【００１１】
請求項１記載の芯棒打ち込み式アンカーでは、上述のように、拡径部はその先端の一部を残してアンカー本体の外径より小径の小径部が形成されることで、前記先端の一部で突起部が形成されている構成としたことで、芯棒を打ち込んで拡径部を拡径させると、その先端の一部で形成される突起部の表面積が狭いため、コンクリートに穿孔された孔の内周面に食い込ませることができ、これにより、アンカー本体の抜け落ちが強固に阻止された状態になる。
従って、コンクリートに割れを生じさせることなしに、アンカーの引き抜き強度を高めることができるようになるという効果が得られる。
【００１２】
請求項２記載の芯棒打ち込み式アンカーでは、前記小径部には、前記先端の一部で形成される突起部の他に少なくとも１つ以上の突起部が形成されることで、アンカーの引き抜き強度をさらに高めることができるようになる。
【００１３】
請求項３記載の芯棒打ち込み式アンカーでは、前記突起部を先鋭の断面三角形状とすることで、コンクリートに穿孔された孔の内周面へ確実に食い込ませることができるようになり、これによりアンカーの引き抜き強度をさらに高めることができるようになる。
【００１４】
請求項４記載の芯棒打ち込み式アンカーでは、上述のように、拡径部の小径部はアンカー本体より先端に向かうに連れて次第に小径になる先細りテーパー状に形成されているため、拡径部が拡径することで、その先端の一部で形成される突起部が、コンクリートに穿孔された孔の内周面に食い込むと共に、小径部が孔の内周面に圧接し、これにより、アンカー本体の引き抜き強度をさらに高めることができるようになる。
【００１５】
請求項５記載の芯棒打ち込み式アンカーでは、上述のように、アンカー本体の少なくとも拡径部は焼き入れが施されている構成とすることで、突起部をコンクリートに穿孔された孔の内周面に確実に食い込ませることができるようになる。
【図面の簡単な説明】
【００１６】
【図１】実施例１の芯棒打ち込み式アンカーを示す正面図である。
【図２】実施例１の芯棒打ち込み式アンカーを示す底面図である。
【図３】実施例１の芯棒打ち込み式アンカーを示す縦断面図である。
【図４】実施例１の芯棒打ち込み式アンカーの使用状態を示す断面図である。
【図５】実施例１の芯棒打ち込み式アンカーの使用状態を示す工程説明図である。
【図６】実施例２の芯棒打ち込み式アンカーを示す正面図である。
【図７】実施例２の芯棒打ち込み式アンカーを示す縦断面図である。
【図８】実施例２の芯棒打ち込み式アンカーの使用状態を示す断面図である。
【図９】実施例３の芯棒打ち込み式アンカーを示す正面図である。
【図１０】実施例３の芯棒打ち込み式アンカーを示す縦断面図である。
【図１１】実施例３の芯棒打ち込み式アンカーの使用状態を示す断面図である。
【発明を実施するための形態】
【００１７】
以下にこの発明の実施例を図面に基づいて説明する。
【実施例１】
【００１８】
まず、この実施例１の芯棒打ち込み式アンカーを図１〜３に基づいて説明する。
この芯棒打ち込み式アンカーは、アンカー本体１と、芯棒２と、ナット３と、を主な構成として備えている。
を備えている。
【００１９】
さらに詳述すると、前記アンカー本体１は、その基端部にナット３を羅着するためのボルト部１１を有する。
また、前記アンカー本体１の先端部には十文字状の割り溝１２を設けた拡径部１３を有し、内部に先細り状の貫通孔１４を有している。
【００２０】
また、前記拡径部１３は、その先端の一部（突起部）１３ｂを残してアンカー本体１の外径より小径の小径部１３ａが形成されている。
この小径部１３ａは、アンカー本体１より先端に向かうに連れて次第に小径になる先細りテーパー状に形成されている。
また、前記突起部１３ｂは、先鋭の断面三角形状を成している。
【００２１】
また、前記アンカー本体部１の少なくとも拡径部１３は焼き入れが施されることで、硬度が高められている。
【００２２】
前記芯棒２は、アンカー本体１の貫通孔内に打ち込むことにより拡径部１３を拡径するもので、その先端は先細り状に形成され、その基端部には頭部２１を有している。
【００２３】
次に、この実施例１の使用状態を、図５の工程図に基づいて説明する。
この実施例１では上述のように構成されるため、コンクリート４の表面にＬ型鋼などの取付物５を取付固定する場合、まず、図５（イ）に示すように、コンクリート４における取付物５に形成されたボルト孔５１の位置にドリル６で所定の深さまで穿孔する。
次に、図５（ロ）に示すように、ブロワー７等を使用して孔４１内の切粉を除去する。
次に、図５（ハ）に示すように、ナット３が取付物５に接触するまでアンカー本体１を孔４１内に挿入する。
次に、図５（ニ）に示すように、芯棒２の頭部２１がアンカー本体１の頂部に接するまで芯棒２をハンマー８で打ち込むことにより、図５（ホ）に示すように、アンカー本体１の下端拡径部１３が拡径してその先端の一部で形成される突起部１３ｂがコンクリート４の孔４１の内周面に食い込むと共に、テーパー状の小径部１３ａが孔４１の内周面に圧接し、これにより、アンカー本体１の抜け落ちが強固に阻止された状態になる。
次に、スパナ等でナット３を締め付けることにより、コンクリートに対する取付物５の取り付け固定を完了する。
【００２４】
次に、この実施例１の効果を説明する。
この実施例１の芯棒打ち込み式アンカーでは、上述のように、拡径部１３はその先端の一部（突起部）１３ｂを残してアンカー本体１の外径より小径の小径部１３ａが形成されている構成としたことで、芯棒２を打ち込んで拡径部１３を拡径させると、突起部１３ｂは拡径部１３の一部でその表面積が狭く、しかも先鋭の断面三角形状であるため、コンクリート４に穿孔された孔４１の内周面に食い込ませることができ、これにより、アンカー本体１の抜け落ちが強固に阻止された状態になる。
従って、コンクリート４に割れを生じさせることなしに、アンカーの引き抜き強度を高めることができるようになるという効果が得られる。
【００２５】
また、この実施例１では、上述のように、拡径部１３の小径部１３ａはアンカー本体１より先端に向かうに連れて次第に小径になる先細りテーパー状に形成されているため、拡径部１３が拡径することで、その先端の一部で形成される突起部１３ｂが、コンクリート４に穿孔された孔４１の内周面に食い込むと共に、小径部１３ａが孔４１の内周面に圧接し、これにより、アンカー本体１の引き抜き強度をさらに高めることができるようになる。
【００２６】
また、この実施例１では、上述のように、アンカー本体１の少なくとも拡径部１３は焼き入れが施されている構成とすることで、突起部１３ｂをコンクリート４に穿孔された孔４１の内周面に確実に食い込ませることができるようになる。
【００２７】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２８】
この実施例２は、実施例１における鉄筋交差部締結金具の変形例を示すものであり、図６〜８に示すように、前記小径部には、前記先端の一部で形成される突起部１３ｂの他に１つの突起部１３ｃがされている点が、前記実施例１とは相違したものである。
【００２９】
したがって、この実施例２では、アンカーの引き抜き強度をさらに高めることができるようになる。
【実施例３】
【００３０】
この実施例３は、実施例１における鉄筋交差部締結金具の変形例を示すものであり、図９〜１１に示すように、前記小径部には、前記先端の一部で形成される突起部１３ｂの他に２つの突起部１３ｃ、１３ｄがされている点が、前記実施例１、２とは相違したものである。
【００３１】
したがって、この実施例３では、アンカーの引き抜き強度をさらに高めることができるようになる。
【００３２】
以上本実施例を説明してきたが、本発明は上述の実施例に限られるものではなく、本発明の要旨を逸脱しない範囲の設計変更等があっても、本発明に含まれる。
【００３３】
例えば、実施例では、フランジ付きナットを示したが、ナットと座金との組み合わせであってもよい。
【００３４】
また、実施例では、割り溝を十文字状としたが、一文字や、複数の数の切り溝であってもよい。
【００３５】
また、実施例では突起部を１〜３個設ける場合を例にとって説明したが、３個以上設けてもよい。
【００３６】
また、小径部はテーパー状でなくてもよい。
【符号の説明】
【００３７】
１  アンカー本体
１１  ボルト部
１２  割り溝
１３  拡径部
１３ａ  小径部
１３ｂ  突起部
１３ｃ  突起部
１３ｄ  突起部
１４  貫通孔
２  芯棒
２１  頭部
３  ナット
４  コンクリート
４１  孔
５  取付物
５１  ボルト孔
６  ドリル
７  ブロワー
８  ハンマー
【図１】
2015232255.tif 000003
【図２】
2015232255.tif 000004
【図３】
2015232255.tif 000005
【図４】
2015232255.tif 000006
【図５】
2015232255.tif 000007
【図６】
2015232255.tif 000008
【図７】
2015232255.tif 000009
【図８】
2015232255.tif 000010
【図９】
2015232255.tif 000011
【図１０】
2015232255.tif 000012
【図１１】
2015232255.tif 000013